(57)【要約】      （修正有）【課題】顕微鏡と望遠鏡を簡単に切り替えられ、かつ顕微鏡としては充分なＮＡを有し、望遠鏡としては充分な口径を確保しつつ大型化を回避できる観察用光学系を提供する。【解決手段】正の第１レンズＬ１と、凸面を第１レンズ側に向けたメニスカス形状の第２レンズＬ２とからなる正のレンズ群Ｇ１を有し、正のレンズ群Ｇ１は無限遠の物体を観察する位置から光軸に沿って移動し、以下の条件式（１）、（２）を満足する。1.05＜FF/FL・・・（１）1.1×FL＜L＜1.5×FL・・・（２）ここで、FLは正のレンズ群Ｇ１の焦点距離、FFは正のレンズ群Ｇ１の第１面から前側焦点位置までの距離、Lは正のレンズ群Ｇ１が無限遠の物体を観察する位置から光軸に沿って移動する距離、である。【選択図】図１
2011123289.tif 000002
【特許請求の範囲】
【請求項１】
正の第１レンズと、凸面を前記第１レンズ側に向けたメニスカス形状の第２レンズとからなる正のレンズ群を有し、
前記正のレンズ群は無限遠の物体を観察する位置から光軸に沿って移動し、
以下の条件式（１）、（２）を満足することを特徴とする観察用光学系。
1.05＜FF/FL          ・・・（１）
1.1×FL＜L＜1.5×FL  ・・・（２）
ここで、
FLは前記正のレンズ群の焦点距離、
FFは前記正のレンズ群の第１面から前側焦点位置までの距離、
Lは前記正のレンズ群が無限遠の物体を観察する位置から光軸に沿って移動する距離、
である。
【請求項２】
以下の条件式（３）、（４）を満足することを特徴とする請求項１に記載の観察用光学系。
0.4＜F1/FL＜0.7  ・・・（３）
0.1＜D/FL＜0.25  ・・・（４）
ここで、
F1は前記正の第１レンズの焦点距離、
FLは前記正のレンズ群の焦点距離、
Dは前記正のレンズ群の総肉厚、
である。
【請求項３】
前記第２レンズは、物体側から順に、正のレンズと、負のレンズとからなり、以下の条件式（５）を満足することを特徴とする請求項１に記載の観察用光学系。
-1.2＜F2T/F2O＜-0.8  ・・・（５）
ここで、
F2Tは前記正のレンズの焦点距離、
F2Oは前記負のレンズの焦点距離、
である。
【発明の詳細な説明】
【技術分野】
【０００１】
本発明は、観察用光学系、特に顕微鏡と望遠鏡の機能を切り替えて使える観察用光学系に関するものである。
【背景技術】
【０００２】
従来、顕微鏡と望遠鏡の機能を切り替えて使用できる光学系は、例えば、特許文献１に開示されているように、顕微鏡用の対物レンズが光路から退避することで、顕微鏡から望遠鏡に切替えることができる。このように、望遠鏡の先端に顕微鏡対物レンズが挿脱される方式である。
また、例えば、特許文献２では、顕微鏡用の対物レンズが退避することで、顕微鏡から望遠鏡へ切替えることができる。
【先行技術文献】
【特許文献】
【０００３】
【特許文献１】国際公開第ＷＯ９７／０１１２１号
【特許文献２】特開平６‐１８６４８３号公報
【発明の概要】
【発明が解決しようとする課題】
【０００４】
特許文献１では、望遠鏡の先端に顕微鏡対物レンズが挿脱される方式である。この方式では、望遠鏡として使う場合、顕微鏡対物レンズを望遠鏡の光路の外側まで退避させる必要がある。このため、サイズが大型化してしまう。また、望遠鏡時に像を正立させるため、高価なプリズムが必要となってしまう。さらに、顕微鏡時に観察できる対象は、プレパラートに限定されてしまう。
【０００５】
特許文献２は、特許文献１と同様に、顕微鏡と、望遠鏡との切換方式に関する構成を開示している。ここでは、望遠鏡時の像正立化は、像をリレーすることで達成している。
特許文献１、２においては、望遠鏡の対物レンズの先端に顕微鏡対物レンズを配置する。このため、顕微鏡として使用するときは、望遠鏡よりもサイズが大きくなってしまう。
【０００６】
本発明は、上記に鑑みてなされたものであって、顕微鏡と望遠鏡を簡単に切り替えられ、かつ顕微鏡としては充分なＮＡを有し、望遠鏡としては充分な口径を確保しつつ大型化を回避できる観察用光学系を提供することを目的とする。
【課題を解決するための手段】
【０００７】
上述した課題を解決し、目的を達成するために、本発明の観察用光学系は、
正の第１レンズと、凸面を第１レンズ側に向けたメニスカス形状の第２レンズとからなる正のレンズ群を有し、
正のレンズ群は無限遠の物体を観察する位置から光軸に沿って移動し、
以下の条件式（１）、（２）を満足することを特徴とする。
1.05＜FF/FL          ・・・（１）
1.1×FL＜L＜1.5×FL  ・・・（２）
ここで、
FLは正のレンズ群の焦点距離、
FFは正のレンズ群の第１面から前側焦点位置までの距離、
Lは正のレンズ群が無限遠の物体を観察する位置から光軸に沿って移動する距離、
である。
【０００８】
また、本発明の好ましい態様によれば、以下の条件式（３）、（４）を満足することが望ましい。
0.4＜F1/FL＜0.7  ・・・（３）
0.1＜D/FL＜0.25  ・・・（４）
ここで、
F1は正の第１レンズの焦点距離、
FLは正のレンズ群の焦点距離、
Dは正のレンズ群の総肉厚、
である。
【０００９】
また、本発明の好ましい態様によれば、第２レンズは、物体側から順に、正のレンズと、負のレンズとからなり、以下の条件式（５）を満足することが望ましい。
-1.2＜F2T/F2O＜-0.8  ・・・（５）
ここで、
F2Tは正のレンズの焦点距離、
F2Oは負のレンズの焦点距離、
である。
【発明の効果】
【００１０】
本発明によれば、顕微鏡と望遠鏡を簡単に切り替えられ、かつ顕微鏡としては充分なＮＡを有し、望遠鏡としては充分な口径を確保しつつ大型化を回避できる観察用光学系を提供することができるという効果を奏する。
【図面の簡単な説明】
【００１１】
【図１】本発明の観察用光学系の実施例１の顕微鏡ポジション（４．５倍、ａ）、望遠鏡ポジション（ｆ＝１５０ｍｍ、ｂ）でのレンズ断面図である。
【図２】実施例１の顕微鏡ポジション（ａ）、望遠鏡ポジション（ｂ）での収差図である。
【図３】本発明の観察用光学系の実施例２の顕微鏡ポジション（４．５倍、ａ）、望遠鏡ポジション（ｆ＝１５０ｍｍ、ｂ）でのレンズ断面図である。
【図４】実施例２の顕微鏡ポジション（ａ）、望遠鏡ポジション（ｂ）での収差図である。
【図５】本発明の観察用光学系の実施例３の顕微鏡ポジション（４．５倍、ａ）、望遠鏡ポジション（ｆ＝１５０ｍｍ、ｂ）でのレンズ断面図である。
【図６】実施例３の顕微鏡ポジション（ａ）、望遠鏡ポジション（ｂ）での収差図である。
【図７】本発明の観察用光学系の実施例４の顕微鏡ポジション（４．５倍、ａ）、望遠鏡ポジション（ｆ＝１５０ｍｍ、ｂ）でのレンズ断面図である。
【図８】実施例４の顕微鏡ポジション（ａ）、望遠鏡ポジション（ｂ）での収差図である。
【発明を実施するための形態】
【００１２】
以下に、本発明にかかる顕微鏡用ズームレンズの実施例を図面に基づいて詳細に説明する。なお、この実施例によりこの発明が限定されるものではない。
まず、実施例の説明に先立ち、顕微鏡用ズームレンズの作用効果について説明する。
【００１３】
本実施形態に係る観察用光学系は、正の第１レンズと、凸面を第１レンズ側に向けたメニスカス形状の第２レンズとからなる正のレンズ群を有し、
正のレンズ群は無限遠の物体を観察する位置から光軸に沿って移動し、
以下の条件式（１）、（２）を満足することを特徴とする。
1.05＜FF/FL  ・・・（１）
1.1×FL＜L＜1.5×FL  ・・・（２）
ここで、
FLは正のレンズ群の焦点距離、
FFは正のレンズ群の第１面から前側焦点位置までの距離、
Lは正のレンズ群が無限遠の物体を観察する位置から光軸に沿って移動する距離、
である。
【００１４】
本実施形態では、望遠鏡の対物レンズの後側（像側）に拡大リレー系を配置する。これにより、像を正立化させる。さらに、接眼レンズを配置して望遠鏡を構成する。
【００１５】
対物レンズを拡大リレー系の前側焦点位置を越えて近づけることでルーペ（補助対物レンズ）として機能し倍率及びＮＡを大きくできる。
これにより対物レンズを光路から横に退避させることなく光軸方向に移動することで、顕微鏡として使用することができる。すなわち、望遠鏡ポジションのレンズ状態に比較して、顕微鏡ポジションのレンズ状態の配置が小さくなる。この結果、同一の口径の望遠鏡を構成する場合を考えると、本実施例は、従来例に比較して小型化できる。
また、拡大リレー系にズーム機能をもたせることもできる。これにより、倍率を可変にできる。
【００１６】
また、本実施形態では、正の第１レンズと、凸面を第１レンズ側に向けたメニスカス形状の第２レンズからなる正のレンズ群と、で対物レンズを構成している。これにより、主点を第１レンズ側に寄せることができる。
【００１７】
また、条件式（１）を満足することで、顕微鏡ポジションにおける作動距離（ＷＤ、ｗｏｒｋｉｎｇ  ｄｉｓｔａｎｃｅ）をより長く確保できる。
条件式（１）の下限値を下回ると、主点の位置が第１レンズ側に寄らずに、充分なＷＤを確保することができない。
【００１８】
また、条件式（２）は、望遠鏡ポジションにおける対物レンズが、顕微鏡ポジションにおける補助対物レンズとして機能するための条件を規定している。
条件式（２）の上限値を上回ると顕微鏡ポジション時の軸上周辺光の光線高が高くなり、球面収差の補正ができなくなる。
条件式（２）の下限値を下回ると、作動距離（ＷＤ）を確保できなくなる。
【００１９】
また、本発明の好ましい実施形態によれば、以下の条件式（３）、（４）を満足することが望ましい。
0.4＜F1/FL＜0.7  ・・・（３）
0.1＜D/FL＜0.25  ・・・（４）
ここで、
F1は正の第１レンズの焦点距離、
FLは正のレンズ群の焦点距離、
Dは正のレンズ群の総肉厚、
である。
【００２０】
条件式（３）の下限値を下回ると、正の第１レンズのパワー（屈折力）が強くなりすぎる。このため、曲率半径が小さくなり、レンズのフチ肉を確保できなくなる。
条件式（３）の上限値を上回ると、正の第１レンズのパワーが弱くなりすぎる。このため、ペッツバール和を小さく出来ず、望遠鏡ポジション時の像の平坦性が悪化する。
【００２１】
条件式（４）の下限値を下回ると、正レンズのフチ肉またはメニスカスレンズの肉厚が加工に充分な大きさを取れない。
条件式（４）の上限値を上回ると、顕微鏡ポジション時の作動距離（ＷＤ）を充分に確保できなくなる。
【００２２】
また、本発明の好ましい実施形態によれば、第２レンズは、物体側から順に、正のレンズと、負のレンズとからなり、以下の条件式（５）を満足することが好ましい。
-1.2＜F2T/F2O＜-0.8  ・・・（５）
ここで、
F2Tは正のレンズの焦点距離、
F2Oは負のレンズの焦点距離、
である。
【００２３】
条件式（５）の下限値を下回ると、第２レンズの負レンズのパワーが強くなりすぎる。このため、望遠鏡ポジション時と、顕微鏡ポジション時とにおける球面収差補正の両立が難しくなる。
条件式（５）の上限値を上回ると、第２レンズの負レンズのパワーが弱くなる。このため、ペッツバール和を小さく出来ず、望遠鏡ポジション時の像の平坦性が悪化する。
【００２４】
次に、本発明の実施例１にかかる観察用光学系について説明する。図１は本発明の実施例１にかかる観察用光学系の光学構成を示す光軸に沿う断面図であり、（ａ）は顕微鏡ポジション倍（４．５倍）、（ｂ）は望遠鏡ポジション時（ｆ＝１５０ｍｍ）での断面図である。
【００２５】
図２は実施例１にかかる観察用光学系の球面収差（ＳＡ）、像面湾曲（ＡＳ、Ｓはサジタル、Ｔはタンジェンシャル）、歪曲収差（ＤＴ）、を示す図であり、（ａ）は顕微鏡ポジション倍（４．５倍）、（ｂ）は望遠鏡ポジション時（ｆ＝１５０ｍｍ）での状態を示している。また、ＮＡは開口数、ＦＮＯはＦナンバー、ＦＩＹは像高を示している。なお、収差図における記号は、後述の実施例においても共通である。
【００２６】
実施例１の観察用光学系は、図１に示すように、物体側より順に、正の屈折力を有する第１レンズ群Ｇ１と、正の屈折力を有する第２レンズ群Ｇ２と、を有している。
なお、以下全ての実施例において、Ｉは結像面（電子撮像素子の撮像面）を示している。
【００２７】
第１レンズ群Ｇ１は、両凸正レンズＬ１と、物体側に凸面を向けた負メニスカスレンズＬ２で構成されており、全体で正の屈折力を有している。第２レンズ群Ｇ２は、物体側より順に、両凸正レンズＬ３と、物体側に凸面を向けた負メニスカスレンズＬ４と両凸正レンズＬ５との接合レンズと、両凸正レンズＬ６で構成されており、全体で正の屈折力を有している。
【００２８】
顕微鏡ポジションから望遠鏡ポジションへと切替える際には、第１レンズ群Ｇ１を光軸に沿って第２レンズ群Ｇ２から物体側へ遠ざける方向へ移動させる。
【００２９】
非球面は、第１レンズ群Ｇ１の両凸正レンズＬ１の物体側の面と、第２レンズ群Ｇ２の両凸正レンズＬ３の像側面との２面に設けられている。
【００３０】
次に、本発明の実施例２にかかる観察用光学系について説明する。図３は本発明の実施例２にかかる観察用光学系の光学構成を示す光軸に沿う断面図であり、（ａ）は顕微鏡ポジション倍（４．５倍）、（ｂ）は望遠鏡ポジション時（ｆ＝１５０ｍｍ）での断面図である。
【００３１】
図４は実施例２にかかる観察用光学系の球面収差（ＳＡ）、像面湾曲（ＡＳ、Ｓはサジタル、Ｔはタンジェンシャル）、歪曲収差（ＤＴ）、を示す図であり、（ａ）は顕微鏡ポジション倍（４．５倍）、（ｂ）は望遠鏡ポジション時（ｆ＝１５０ｍｍ）での状態を示している。
【００３２】
実施例２の観察用光学系は、図３に示すように、物体側より順に、正の屈折力を有する第１レンズ群Ｇ１と、正の屈折力を有する第２レンズ群Ｇ２と、を有している。
【００３３】
第１レンズ群Ｇ１は、両凸正レンズＬ１と、物体側に凸面を向けた負メニスカスレンズＬ２で構成されており、全体で正の屈折力を有している。第２レンズ群Ｇ２は、物体側より順に、両凸正レンズＬ３と、物体側に凸面を向けた負メニスカスレンズＬ４と両凸正レンズＬ５との接合レンズと、両凸正レンズＬ６で構成されており、全体で正の屈折力を有している。
【００３４】
顕微鏡ポジションから望遠鏡ポジションへと切替える際には、第１レンズ群Ｇ１を光軸に沿って第２レンズ群Ｇ２から物体側へ遠ざける方向へ移動させる。
【００３５】
非球面は、第１レンズ群Ｇ１の両凸正レンズＬ１の物体側の面の１面に設けられている。
【００３６】
次に、本発明の実施例３にかかる観察用光学系について説明する。図５は本発明の実施例３にかかる観察用光学系の光学構成を示す光軸に沿う断面図であり、（ａ）は顕微鏡ポジション倍（４．５倍）、（ｂ）は望遠鏡ポジション時（ｆ＝１５０ｍｍ）での断面図である。
【００３７】
図６は実施例３にかかる観察用光学系の球面収差（ＳＡ）、像面湾曲（ＡＳ、Ｓはサジタル、Ｔはタンジェンシャル）、歪曲収差（ＤＴ）、を示す図であり、（ａ）は顕微鏡ポジション倍（４．５倍）、（ｂ）は望遠鏡ポジション時（ｆ＝１５０ｍｍ）での状態を示している。
【００３８】
実施例３の観察用光学系は、図５に示すように、物体側より順に、正の屈折力を有する第１レンズ群Ｇ１と、正の屈折力を有する第２レンズ群Ｇ２と、を有している。
【００３９】
第１レンズ群Ｇ１は、両凸正レンズＬ１と、物体側に凸面を向けた負メニスカスレンズＬ２で構成されており、全体で正の屈折力を有している。第２レンズ群Ｇ２は、物体側より順に、両凸正レンズＬ３と、物体側に凸面を向けた負メニスカスレンズＬ４と両凸正レンズＬ５との接合レンズと、両凸正レンズＬ６で構成されており、全体で正の屈折力を有している。
【００４０】
顕微鏡ポジションから望遠鏡ポジションへと切替える際には、第１レンズ群Ｇ１を光軸に沿って第２レンズ群Ｇ２から物体側へ遠ざける方向へ移動させる。
【００４１】
次に、本発明の実施例４にかかる観察用光学系について説明する。図７は本発明の実施例４にかかる観察用光学系の光学構成を示す光軸に沿う断面図であり、（ａ）は顕微鏡ポジション倍（４．５倍）、（ｂ）は望遠鏡ポジション時（ｆ＝１５０ｍｍ）での断面図である。
【００４２】
図８は実施例４にかかる観察用光学系の球面収差（ＳＡ）、像面湾曲（ＡＳ、Ｓはサジタル、Ｔはタンジェンシャル）、歪曲収差（ＤＴ）、を示す図であり、（ａ）は顕微鏡ポジション倍（４．５倍）、（ｂ）は望遠鏡ポジション時（ｆ＝１５０ｍｍ）での状態を示している。
【００４３】
実施例４の観察用光学系は、図７に示すように、物体側より順に、正の屈折力を有する第１レンズ群Ｇ１と、正の屈折力を有する第２レンズ群Ｇ２と、を有している。
【００４４】
第１レンズ群Ｇ１は、両凸正レンズＬ１と、物体側に凸面を向けた正凸平レンズＬ２と像面側に凹面を向けた平凹レンズＬ３との接合レンズで構成されており、全体で正の屈折力を有している。第２レンズ群Ｇ２は、物体側より順に、両凸正レンズＬ４と、物体側に凸面を向けた負メニスカスレンズＬ５と両凸正レンズＬ６との接合レンズと、両凸正レンズＬ７で構成されており、全体で正の屈折力を有している。
【００４５】
顕微鏡ポジションから望遠鏡ポジションへと切替える際には、第１レンズ群Ｇ１を光軸に沿って第２レンズ群Ｇ２から物体側へ遠ざける方向へ移動させる。
【００４６】
非球面は、第２レンズ群Ｇ１の両凸正レンズＬ１の像側の面の１面に設けられている。
【００４７】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、Ｄ０は標本から第１面までの距離をそれぞれ表している。また、＊は非球面をそれぞれ示している。
【００４８】
また、非球面形状は、光軸方向をｚ、光軸に直交する方向をｙにとり、円錐係数をＫ、非球面係数をＡ２、Ａ４、Ａ６、Ａ８、Ａ１０としたとき、次の式（Ｉ）で表される。
ｚ＝（ｙ2／ｒ）／［１＋｛１−（１＋Ｋ）（ｙ／ｒ）2｝1/2］
＋Ａ２ｙ2＋Ａ４ｙ4＋Ａ６ｙ6＋Ａ８ｙ8＋Ａ１０ｙ10  …（Ｉ）
また、ｅは１０のべき乗を表している。なお、これら諸元値の記号は後述の実施例の数値データにおいても共通である。
【００４９】
数値実施例１
単位ｍｍ
面データ
面番号    r             d           nd           νd
物面      ∞         10
1*      16.1679       5.5         1.53071        55.69
2      -33.8683       0.1
3       70.7373       2           1.84666        23.78
4       21.4771       可変
5      336.6072       3.6         1.53071        55.69
6*     -28.6822       1.5
7       31.5626       1.62        1.84666        23.78
8       14.5456       3.6         1.48749        70.23
9      -34.9043       1.8
10      96.7707       2.7         1.53071        55.69
11     -32.5488      86.857 
12       ∞            0
非球面データ
第１面
K=-1.5841
A2=0.0000E+00,A4=5.3959E-06,A6=-1.1464E-07
第６面
K=-30.3105
A2=0.0000E+00,A4=-1.4476E-04,A6=1.0943E-06
ズームデータ
面間隔          顕微鏡      望遠鏡     
物面            10            ∞          L=48.00     
d4               2.62       50.620       
【００５０】
数値実施例２
単位ｍｍ
面データ
面番号    r             d           nd           νd
物面      ∞         10
1*      15.5452       4.5         1.51633        64.14
2      -41.1377       0.1
3       43.4089       2           1.80518        25.42
4       18.4607       可変
5      792.534        4           1.58913        61.14
6      -34.477        1.112 
7       46.7487       1.8         1.7552         27.51
8       16.688        4           1.497          81.54
9      -33.8086       2
10      92.8271       3           1.51633        64.14
11     -39.393       96.595
12        ∞
非球面データ
第１面
K=-0.3990
A2=0.0000E+00,A4=-2.8645E-05,A6=-5.5252E-08,A8=-4.7701E-10,A10=9.7801E-13
ズームデータ
面間隔          顕微鏡      望遠鏡     
物面            10            ∞          L=48.00     
d4               5.434      53.434       
【００５１】
数値実施例３
単位ｍｍ
面データ
面番号    r             d           nd           νd
物面      ∞         10.549
1*      15.0016       5           1.58913        61.14
2     -248.157        0.1
3      126.2654       2.5         1.7552         27.51
4*      28.2197       可変
5      792.534        4           1.58913        61.14
6      -34.477        1.112 
7       46.7487       1.8         1.7552         27.51
8       16.688        4           1.497          81.54
9      -33.8086       2
10      92.8271       3           1.51633        64.14
11     -39.393       96.60 
12        ∞  
非球面データ
第１面
K=0.4493
A2=0.0000E+00,A4=-1.2874E-05,A6=3.3185E-07,A8=-1.4715E-09
第４面
K=5.3905
A2=0.0000E+00,A4=1.4383E-05,A6=9.4462E-07,A8=-4.1069E-10
ズームデータ
面間隔          顕微鏡      望遠鏡     
物面            10.549        ∞          L=48.00
d4               4.504      52.500      
【００５２】
数値実施例４
単位ｍｍ
面データ
面番号    r             d           nd           νd
物面      ∞          9.237
1*     211.3735       3.5         1.48749        70.23
2      -24.933        0.15
3       15.057        3.5         1.497          81.54
4         ∞          1.5         1.65412        39.68
5       18.0778       可変
6       55.209        2.8         1.53071        55.69
7*     -47.9023       1.5
8       42.969        1.62        1.84666        23.78
9       16.808        3.6         1.48749        70.23
10     -23.63         1.8
11     193.746        2.7         1.53071        55.69
12     -33.574       87.271 
13        ∞
非球面データ
第１面
K=-81.2946
A2=0.0000E+00,A4=-1.7836E-05,A6=-8.3029E-09
第７面
K=-39.7435
A2=0.0000E+00,A4=-2.6068E-05,A6=8.9974E-08
ズームデータ
面間隔          顕微鏡      望遠鏡     
物面             9.237        ∞          L=48.00
d5              3.291       51.290      
【００５３】
以下に各実施例の条件式対応値を掲げる。
条件式            実施例1     実施例2     実施例3         実施例4  
FL                40          40          40               40
FF               -43.33      -43.33      -43.88           -42.57 
FB                32.62       33.168      32.24            32.58 
F1                21.44       22.46       24.18            45.97
F2               -37.12      -41.37      -48.66  F2=1428 F2T=30.3 F2O=-27.6 
D(G1の総肉厚)      7.6         6.6         7.6              8.65
FF/FL>1.05         1.08        1.08        1.10             1.06 
1.5・FL>L>1.1・FL   48          48          48               48
0.4<F1/FL<0.7      0.54        0.56        0.60             1.15 
0.1<D/FL<0.25      0.19        0.17        0.19             0.22  
-1.2<F2T/F2O<-0.8   -           -           -              -1.10 
【産業上の利用可能性】
【００５４】
以上のように、本発明は、レンズ群を光軸方向に移動するだけで、望遠鏡と顕微鏡とが切り替えられる観察用光学装置に有用である。
【符号の説明】
【００５５】
Ｇ１          第１レンズ群
Ｇ２          第２レンズ群
Ｌ１〜Ｌ７        各レンズ
Ｉ            像面
【図１】
2011123289.tif 000003
【図２】
2011123289.tif 000004
【図３】
2011123289.tif 000005
【図４】
2011123289.tif 000006
【図５】
2011123289.tif 000007
【図６】
2011123289.tif 000008
【図７】
2011123289.tif 000009
【図８】
2011123289.tif 000010